(57)【特許請求の範囲】
【請求項１】
高周波回路チップをカバーするシールドケースにおいて、
上記高周波回路チップの回路面を覆う平面視矩形状のシールドケース基体と、
上記シールドケース基体の四辺に一体に連設され、それぞれ上記高周波回路チップ側に直角に折り曲げられた側壁部と、
上記各側壁部の長手方向の両端に突設され、隣り合う側壁部側に折り込まれた爪部とを備え、
上記爪部は、上記シールドケース基体のコーナ部に、上記高周波回路チップ上面とのはんだ付け領域を形成するよう、隣り合う側壁部の爪部と互いに先端部をつき合わせて折り込まれることを特徴とするシールドケース。
【請求項２】
平面視矩形板状の高周波回路チップをカバーするシールドケースにおいて、
上記高周波回路チップの回路面を覆う平面視矩形状のシールドケース基体と、
上記シールドケース基体の四辺に一体に連設され、それぞれ上記高周波回路チップ側に直角に折り曲げられた側壁部と、
上記各側壁部の長手方向の両端に突設され、隣り合う側壁部側に折り込まれた爪部とを備え、
上記爪部は、隣り合う側壁部の爪部と互いの先端部を突き合わせて折り込まれており、上記高周波回路チップをカバーした際に、上記高周波回路チップの角部上面を露出させ、当該角部上面にはんだ付けされるように形成されていることを特徴とするシールドケース。
【請求項３】
複数のシールドケースを枠体に連結してマトリクス状に配設したシールドケースリールにおいて、
上記シールドケースは、平面視して矩形状のシールドケース基体と、
上記シールドケース基体の四辺に一体に連設され、それぞれ上記高周波回路チップ側に直角に折り曲げられた側壁部と、
上記各側壁部の長手方向の両端に突設され、隣り合う側壁部側に折り込まれた爪部とを備え、
上記シールドケース基体の各角部を介して、上記枠体に連結されていることを特徴とするシールドケースリール。
【請求項４】
高周波回路チップと、上記高周波回路チップの回路面を覆う請求項１又は２記載のシールドケースとを備えることを特徴とする高周波回路装置。
【発明の詳細な説明】
【０００１】
【発明の属する技術分野】
本発明は、例えばブルートゥース（Bluetooth）等の無線通信技術に対応する高周波回路を遮蔽するシールドケース、シールドケースリール及び高周波回路装置に関する。
【０００２】
【従来の技術】
近年、ブルートゥース（Bluetooth）等の無線通信技術が多くの電子機器に採用されている。ブルートゥースとは、Ｅｒｉｃｓｓｏｎ社（スウェーデン）が標準化している２．４ＧＨｚ帯域の電波を使用した近距離無線通信である。ブルートゥースでは、最大転送速度は、１Ｍｂｉｔ／ｓｅｃであり、ＧＦＳＫ（Gaussian Frequency Shift Keying）変調方式が用いられている。また、最大伝送距離には、１０ｍ（出力：１ｍＷ）と１００ｍ（出力：１００ｍＷ）とがあり用途により選択できる。
【０００３】
ブルートゥースを採用した電子機器においては、電磁障害を抑制するために、高周波回路をシールドケースによりシールドしている。ここで、従来の高周波回路装置を図４に示す。図４（ａ）は、高周波回路装置の平面図であり、図４（ｂ）は、高周波回路装置の側面図である。この高周波回路装置は、図４に示すように、高周波回路を備える高周波回路チップ１１と、高周波回路チップ１１の回路面をカバーするシールドケース１２とを備える。高周波回路チップ１１と、シールドケース１２とは、はんだ１３によりはんだ付けされている。シールドケース１２の側面には、後述する理由により、窓部１４が形成されている。
【０００４】
このシールドケース１２は、図５に示すように、リール状態で保管される。図５に示すシールドケースリール１５においては、複数のシールドケース１２がマトリクス状に配設され、各シールドケース１２は、側面の中途部において、連結部１６を介して、シールドケースリール１５の枠体１７に連結されている。
【０００５】
【発明が解決しようとする課題】
シールドケースリール１５は、打抜成形により形成されているため、シールドケース１２と枠体１７を連結する連結部１６を確保するためには、シールドケース１２の側面に相当する部材の一部を連結部１６として使用せざるを得ない。シールドケース１２は、連結部１６を切断することにより、シールドケースリール１５から切り離される。このため、シールドケース１２の側面には、図４に示すように、側壁の一部が欠落して、窓部１４が形成されてしまう。このような窓部１４は、シールドケース１２のシールド効果を低下させる要因となっている。また、シールドケース１２は、図５に示すように、それぞれ３つの連結部１６により、シールドケースリール１５の枠体１７に連結されているが、このような構造では、シールドケース１２の角が浮き上がる等の変形が生じやすいという問題もあった。
【０００６】
本発明は、上述のような課題に鑑みてなされたものであり、シールド効果を向上させることができるシールドケース、シールドケースリール及び高周波回路装置を提供することを目的とする。
【０００７】
【課題を解決するための手段】
上述の目的を達成するために、本発明に係るシールドケースは、高周波回路チップをカバーするシールドケースにおいて、高周波回路チップの回路面を覆う平面視矩形状のシールドケース基体と、シールドケース基体の四辺に一体に連設され、それぞれ上記高周波回路チップ側に直角に折り曲げられた側壁部と、各側壁部の長手方向の両端に突設され、隣り合う側壁部側に折り込まれた爪部とを備え、上記爪部は、上記シールドケース基体のコーナ部に、上記高周波回路チップ上面とのはんだ付け領域を形成するよう、隣り合う側壁部の爪部と互いに先端部をつき合わせて折り込まれる。
また、本発明に係るシールドケースは、平面視矩形板状の高周波回路チップをカバーするシールドケースにおいて、上記高周波回路チップの回路面を覆う平面視矩形状のシールドケース基体と、上記シールドケース基体の四辺に一体に連設され、それぞれ上記高周波回路チップ側に直角に折り曲げられた側壁部と、上記各側壁部の長手方向の両端に突設され、隣り合う側壁部側に折り込まれた爪部とを備え、上記爪部は、隣り合う側壁部の爪部と互いの先端部を突き合わせて折り込まれており、上記高周波回路チップをカバーした際に、上記高周波回路チップの角部上面を露出させ、当該角部上面にはんだ付けされるように形成されている。
これらシールドケースでは、側壁部が連続的に側面を覆い、窓部が形成されないため、シールド効果が高められる。また、高周波回路チップと、各コーナーではんだ付けするため、部品実装面積を広く確保することができる。
【０００８】
また、上述の目的を達成するために、本発明に係るシールドケースリールは、複数のシールドケースを枠体に連結してマトリクス状に配設したシールドケースリールにおいて、シールドケースは、平面視して矩形状のシールドケース基体と、シールドケース基体の四辺に一体に連設され、それぞれ上記高周波回路チップ側に直角に折り曲げられた側壁部と、各側壁部の長手方向の両端に突設され、隣り合う側壁部側に折り込まれた爪部とを備え、シールドケース基体の各角部を介して、枠体に連結されている。シールドケースは、各角部を介してシールドケースリールの枠体に連結されているため、浮き上がり等の変形が生じない。
【０００９】
また、上述の目的を達成するために、本発明に係る高周波回路装置は、高周波回路チップと、上記高周波回路チップの回路面を覆う上記構成のシールドケースとを備える高周波回路装置である。よって、シールドケースと高周波回路チップを４つの角部ではんだ付けすることにより、部品実装面積を広く確保できる。
【００１０】
【発明の実施の形態】
以下、本発明に係るシールドケース、シールドケースリール及び高周波回路装置について、図面を参照して詳細に説明する。
【００１１】
本発明を適用した高周波回路装置を図１に示す。図１（ａ）は、高周波回路装置の平面図であり、図１（ｂ）は、高周波回路装置の側面図である。この高周波回路装置は、図１に示すように、例えばブルートゥース等の高周波技術に対応する高周波回路を備える高周波回路チップ１と、高周波回路チップ１の回路面をカバーするシールドケース２から構成される。高周波回路チップ１及びシールドケース２は、４つのコーナ部において、はんだ３により接続されている。
【００１２】
図２は、シールドケース２のコーナ部を詳細に示す図である。図２（ａ）は、シールドケース２のコーナ部の展開図であり、図２（ｂ）は、シールドケース２のコーナ部の組立図である。この図２に示すように、シールドケース２は、高周波回路チップ１の回路面を覆う略矩形状のシールドケース基体２ａと、シールドケース基体２ａの四辺に一体に連設され、それぞれ高周波回路チップ側に直角に折り曲げられた側壁部２ｂと、各側壁部の長手方向の両端に突設され、隣り合う側壁部２ｂ側に折り込まれた爪部２ｃとを備える。隣り合う側壁部２ｂから突設された爪部２ｃは、このように折り込まれることにより、互いの先端部が突き合わされている。
【００１３】
このシールドケース２では、側壁部２ｂが途切れることなく側面を覆っており、従来のような窓部が側面に形成されないため、高周波のシールド効果を高めることができる。また、シールドケース２と高周波回路チップ１とを各コーナではんだ付けするため、部品実装面積を広く確保することができる。
【００１４】
このシールドケース２は、図３に示すように、リール状態で保管することができる。図３に示すシールドケースリール４においては、複数のシールドケース２がマトリクス状に配設されており、各シールドケース２は、４つのコーナ部に連結された連結部５を介して、枠体６に連結されている。このように、シールドケース２は、リール状態で保管できるため管理しやすい。また、各シールドケース２は、４つのコーナ部において、連結部５を介して枠体６に連結されているため、浮き上がり等の変形が生じることもない。
【００１５】
【発明の効果】
以上のように、本発明に係るシールドケースは、高周波回路チップの回路面を覆う平面視矩形状のシールドケース基体と、シールドケース基体の四辺に一体に連設され、それぞれ上記高周波回路チップ側に直角に折り曲げられた側壁部と、各側壁部の長手方向の両端に突設され、隣り合う側壁部側に折り込まれた爪部とを備え、上記爪部は、上記シールドケース基体のコーナ部に、上記高周波回路チップ上面とのはんだ付け領域を形成するよう、隣り合う側壁部の爪部と互いに先端部をつき合わせて折り込まれるので、窓部が形成されず、良好なシールド効果を実現することができる。また、高周波回路チップと、各コーナーではんだ付けするため、部品実装面積を広く確保することができる。
【００１６】
また、本発明に係るシールドケースリールは、複数のシールドケースを枠体に連結してマトリクス状に配設したシールドケースリールにおいて、シールドケースは、シールドケース基体の各角部を介して、枠体に連結されているので、浮き上がり等の変形が生じることなく、管理のしやすいシールドケースリールを提供することができる。
【００１７】
また、本発明に係る高周波回路装置は、高周波回路チップと、高周波回路チップの回路面を覆う上記構成のシールドケースとを備えるので、部品実装面積を広く確保することができる。
【図面の簡単な説明】
【図１】本発明を適用した高周波回路装置の平面図及び側面図である。
【図２】本発明を適用したシールドケースのコーナ部の拡大図である。
【図３】本発明を適用したシールドケースリールの平面図である。
【図４】従来の高周波回路装置の平面図及び側面図である。
【図５】従来のシールドケースリールの平面図である。
【符号の説明】
１        高周波回路チップ
２        シールドケース
２ａ      シールドケース基体
２ｂ      側壁部
２ｃ      爪部
３        はんだ
【図１】
0004016692.tif 000002
【図２】
0004016692.tif 000003
【図３】
0004016692.tif 000004
【図４】
0004016692.tif 000005
【図５】
0004016692.tif 000006